(57)【特許請求の範囲】
【請求項１】
手帳に装着する手帳カバーであって、
一端側の第１カバー部と、中央の第２カバー部と、他端側の第３カバー部と、の３つのカバー部を折り重ねて３つ折り形状にできる透明なカバー本体と、
前記カバー本体に挿入されるカバー表紙と、
を備え、
前記第１カバー部の内側には、手帳の一方の表紙を収容可能な第１表紙収容部が設けられ、
前記第２カバー部の内側には、手帳の他方の表紙を収容可能な第２表紙収容部が設けられ、
前記第３カバー部の内側には、携帯電話機を収容可能なポケット部が設けられ、
前記第２表紙収容部の左右端部は開口しており、
前記カバー表紙は、前記第２表紙収容部を貫通して、前記第１表紙収容部と前記第２表紙収容部と前記ポケット部との内側に収容されていることを特徴とする、手帳カバー。
【請求項２】
前記カバー表紙の内側に重ねられる保護シートを備え、
前記保護シートは、前記カバー本体と同じ材質で形成されていることを特徴とする、請求項１記載の手帳カバー。
【請求項３】
前記第２カバー部と前記第３カバー部との間に、筆記具を収容可能な筆記具収容部を設けたことを特徴とする、請求項１又は２記載の手帳カバー。
【請求項４】
前記筆記具収容部は、前記第２表紙収容部の内側端縁を折り返して接着することで形成されていることを特徴とする、請求項３記載の手帳カバー。
【発明の詳細な説明】
【技術分野】
【０００１】
この発明は、手帳に取り付けて使用される手帳カバーに関する。
【背景技術】
【０００２】
この種の手帳カバーとして、例えば特許文献１には、筆記具を保持するペンホルダーを有した手帳カバーが開示されている。この手帳カバーは、手帳を覆う一対の外カバーと、ペンホルダー部と、を備えて３つ折り形状とすることができる。
【先行技術文献】
【特許文献】
【０００３】
【特許文献１】特開２０１４−４６５７８号公報
【発明の概要】
【発明が解決しようとする課題】
【０００４】
ところで、近年においてはいわゆるスマートフォンなどの高機能な携帯電話機が普及したことで、携帯電話機を使用してスケジュール管理やメモ作成を行うことも一般的に行われている。このため、携帯電話機（特にスマートフォン）の使用者が手帳を使用しないというケースも増えている。具体的には、比較的若者が手帳の代わりにスマートフォンを使用するケースが増えている。一方で、比較的年配のユーザはスマートフォンを使用せずに手帳を使用しているケースも多いと考えられる。
【０００５】
こうした状況を踏まえ、携帯電話機（特にスマートフォン）と手帳とを同時に使用したいというニーズを把握した商品は従来には存在しなかった。すなわち、携帯電話には携帯電話用のカバー、手帳には手帳用のカバーがそれぞれ存在するが、携帯電話と手帳とを一体的に扱う商品は存在しなかった。
【０００６】
しかしながら、最近の携帯電話機はスマートフォンが主流となってきており、好むと好まざるとにかかわらずスマートフォンを所有しなければならないことがある。機械の操作が苦手なユーザ（例えば年配の方など）がスマートフォンを所有した場合、スマートフォンでスケジュール管理は行わず、手帳を使用することが多いと思われる。このようなユーザにとっては携帯電話機と手帳とは互いに補完し合うツールであり、これらを一体的に管理したいという要望が存在すると考えられる。
【０００７】
そこで、本発明は、携帯電話機と手帳とを一体的に管理でき、しかも携帯電話機の使い勝手と手帳の使い勝手とを両立することができる手帳カバーを提供することを課題とする。
【課題を解決するための手段】
【０００８】
本発明は、上記した課題を解決するためになされたものであり、以下を特徴とする。
【０００９】
請求項１記載の発明は、手帳に装着する手帳カバーであって、一端側の第１カバー部と、中央の第２カバー部と、他端側の第３カバー部と、の３つのカバー部を折り重ねて３つ折り形状にできる透明なカバー本体と、前記カバー本体に挿入されるカバー表紙と、を備え、前記第１カバー部の内側には、手帳の一方の表紙を収容可能な第１表紙収容部が設けられ、前記第２カバー部の内側には、手帳の他方の表紙を収容可能な第２表紙収容部が設けられ、前記第３カバー部の内側には、携帯電話機を収容可能なポケット部が設けられ、前記第２表紙収容部の左右端部は開口しており、前記カバー表紙は、前記第２表紙収容部を貫通して、前記第１表紙収容部と前記第２表紙収容部と前記ポケット部との内側に収容されていることを特徴とする。
【００１０】
請求項２に記載の発明は、上記した請求項１に記載の発明の特徴点に加え、前記カバー表紙の内側に重ねられる保護シートを備え、前記保護シートは、前記カバー本体と同じ材質で形成されていることを特徴とする。
【００１１】
請求項３に記載の発明は、上記した請求項１又は２に記載の発明の特徴点に加え、前記第２カバー部と前記第３カバー部との間に、筆記具を収容可能な筆記具収容部を設けたことを特徴とする。
【００１２】
請求項４に記載の発明は、上記した請求項３に記載の発明の特徴点に加え、前記筆記具収容部は、前記第２表紙収容部の内側端縁を折り返して接着することで形成されていることを特徴とする。
【発明の効果】
【００１３】
請求項１に記載の発明は上記の通りであり、第１カバー部の内側には手帳の一方の表紙を収容可能な第１表紙収容部が設けられ、第２カバー部の内側には手帳の他方の表紙を収容可能な第２表紙収容部が設けられ、第３カバー部の内側には携帯電話機を収容可能なポケット部が設けられ、３つのカバー部を折り重ねて３つ折り形状にすることができる。このような構成によれば、従来の手帳カバーとほとんど変わらない形状で携帯電話と手帳とをコンパクトに収容することができ、携帯電話と手帳とを一体的に管理して容易に持ち運ぶことができる。すなわち、携帯電話を使用していて手帳が見当たらない、といった問題を解消できる。
【００１４】
また、３つのカバー部を広げれば携帯電話と手帳とを並べて広げることができるので、使い勝手もよい。カバー本体は透明な素材で形成されているため、ポケット部に収容したままで携帯電話機を操作することもできるので、手帳カバーから携帯電話機や手帳を取り出さなくても、３つのカバー部を広げるだけで携帯電話機と手帳とを使用することができる。このため、例えばスマートフォンで調べた情報を手帳に書き込むといった使い方も容易にでき、携帯電話機と手帳とを両方使いたいユーザの要求に応えることができる。
【００１５】
また、前記第２表紙収容部の左右端部を開口させることで、前記第１表紙収容部と前記第２表紙収容部と前記ポケット部とに連続する１枚のカバー表紙を収容可能とした。このような構成によれば、１枚のカバー表紙を変えるだけで手帳カバーの外観を変えることができるので、ユーザの好みに応じて容易にデザインを変更することができる。例えば手帳カバーを販売するときに、複数種類のカバー表紙を封入して販売すれば、ユーザがこの複数種類のカバー表紙から選択したものをカバー本体に装着するだけで容易に好みのデザインとすることができる。
【００１６】
この点を製造販売する側から見ると、複数種類のカバー表紙を封入するだけでデザインのバリエーションを確保することができるので、デザインごとに商品を製造販売する必要がなく、在庫調整が容易となる。また、ノベルティーなどに使用する場合でも、企業ロゴなどを使用したカバー表紙を作るだけでよいので低コストで対応することができる。
【００１７】
また、請求項３に記載の発明は上記の通りであり、前記第２カバー部と前記第３カバー部との間に筆記具を収容可能な筆記具収容部を設けた。このような構成によれば、筆記具を収納して３つのカバー部を折り畳んだときに筆記具が包み込まれるので、筆記具がぶらぶらしたり抜け落ちたりといった問題を防止できる。
【００１８】
また、請求項４に記載の発明は上記の通りであり、前記筆記具収容部は、前記第２表紙収容部の内側端縁を折り返して接着することで形成されている。このような構成によれば、追加の部品等を使用することなく筆記具収容部を形成することができるので、安価に手帳カバーを製造することができる。
【図面の簡単な説明】
【００１９】
【図１】手帳カバーを広げた状態の外観図である。
【図２】カバー本体の外観図である。
【図３】カバー本体にカバー表紙及び保護シートを取り付ける様子を示す説明図である。
【図４】手帳カバーを３つ折り形状にした状態の外観図である。
【図５】携帯電話を前面に手帳カバーを折り畳んだ状態の外観図である。
【図６】携帯電話を内側に折り込んで手帳カバーを折り畳んだ状態の外観図である。
【発明を実施するための形態】
【００２０】
本発明の実施形態について、図を参照しながら説明する。
【００２１】
本実施形態に係る手帳カバー１０は、手帳４０に装着して使用されるものであり、図１に示すように、手帳４０と、タッチパネル式のスマートフォンなどの携帯電話機４１と、筆記具４２と、を収容可能となっている。この手帳カバー１０は、透明なカバー本体１１と、カバー本体１１に挿入されるカバー表紙３０及び保護シート３１と、を備えている。
【００２２】
カバー本体１１は、例えばポリプロピレンなどの透明な樹脂シートで形成されている。カバー本体１１を形成するシートの厚みはごく薄く（例えば０．２ｍｍ以下に）設定されている。このため、シートを通して携帯電話機４１のタッチパネルを操作したとしてもタッチパネルが反応できるようになっており、また自由に折り曲げできるようになっている。
【００２３】
このカバー本体１１は、図２に示すように、表側シート２８の内側に、第１被覆部１４、第２被覆部２２、第３被覆部２７の３つのシートを貼り合わせて形成されている。
【００２４】
表側シート２８は、図２に示すような横長の矩形で形成されたシートである。表側シート２８の横幅は、閉じた状態の手帳４０の横幅の約３倍を基準幅として、この基準幅よりもやや余裕を持った幅に設定されている。余裕を持った幅に設定されているのは、折り畳んだときの手帳４０の厚みなどを吸収するためである。また、表側シート２８の縦幅は、手帳４０の縦幅を基準幅として、この基準幅よりもやや余裕を持った幅に設定されている。余裕を持った幅に設定されているのは、第１被覆部１４等を貼り合わせるための「貼り代」を確保するためである。
【００２５】
第１被覆部１４は、図２に示すような縦長の矩形で形成されたシートである。この第１被覆部１４は、表側シート２８の長手方向一端側に貼り付けられて、手帳４０の一方の表紙４０ａを収容可能な第１表紙収容部１３を形成するためのものである。この第１被覆部１４の横幅は、手帳４０の一方の表紙４０ａを十分に保持できる程度に大きく、手帳４０の一方の表紙４０ａを挿し込み易い程度に小さいことが望ましい。本実施形態においては、表側シート２８の横幅の１／５〜１／４程度の幅としている。また、第１被覆部１４の縦幅は、表側シート２８の縦幅と同等である。
【００２６】
この第１被覆部１４は、上辺部と下辺部と右辺部とが表側シート２８に接着されており、これにより袋状の第１表紙収容部１３を形成している。言い換えると、第１表紙収容部１３は、上端部１３ａと下端部１３ｂと右端部１３ｄ（表側シート２８の一端部と同じ）とが閉じており、後述する第２表紙収容部２１に臨む左端部１３ｃのみが開口した形状となっている。そして、図１に示すように、この開口した左端部１３ｃから手帳４０の一方の表紙４０ａを挿入できるようになっている。
【００２７】
第２被覆部２２は、図２に示すような縦長の矩形で形成されたシートである。この第２被覆部２２は、表側シート２８の長手方向中央に貼り付けられて、手帳４０の他方の表紙４０ｂを収容可能な第２表紙収容部２１を形成するためのものである。この第２被覆部２２の横幅は、手帳４０の他方の表紙４０ｂを十分に保持できる程度に大きく、手帳４０の他方の表紙４０ｂを挿し込み易い程度に小さいことが望ましい。本実施形態においては、表側シート２８の横幅の１／４〜１／３程度の幅とし、第１被覆部１４の横幅よりも大きく設定している。また、第２被覆部２２の縦幅は、表側シート２８の縦幅と同等である。
【００２８】
この第２被覆部２２は、上辺部と下辺部とが表側シート２８に接着されており、これにより両側を開口したトンネル状の第２表紙収容部２１を形成している。言い換えると、第２表紙収容部２１は、上端部２１ａと下端部２１ｂとが閉じており、第１被覆部１４に臨む右端部２１ｄと後述するポケット部２６に臨む左端部２１ｃとが開口した形状となっている。そして、図１に示すように、この開口した右端部２１ｄから手帳４０の他方の表紙４０ｂを挿入できるようになっている。
【００２９】
なお、第２被覆部２２の左辺部（すなわち第２表紙収容部２１の内側の左端部２１ｃ）には、ペンなどの筆記具４２を収容可能な筆記具収容部２３が設けられている。この筆記具収容部２３は、第２被覆部２２の左辺部の中央付近から突出した舌状の折り返し部２２ａを折り返して、折り返し部２２ａの先端と根元とを互いに接着してリング状とすることで形成されている。このようにリング状に形成した筆記具収容部２３に筆記具４２を挿通することで、筆記具収容部２３で筆記具４２を保持できるようになっている。
【００３０】
第３被覆部２７は、図２に示すような縦長の矩形で形成されたシートである。この第３被覆部２７は、表側シート２８の長手方向他端側に貼り付けられて、携帯電話機４１を収容可能なポケット部２６を形成するためのものである。この第３被覆部２７の横幅は、携帯電話機４１が落下しない程度に大きいことが望ましい。本実施形態においては、表側シート２８の横幅の１／４〜１／３程度の幅とし、第１被覆部１４の横幅よりも大きく設定している。また、第３被覆部２７の縦幅は、表側シート２８の縦幅と同等である。
【００３１】
この第３被覆部２７は、上辺部と下辺部と左辺部とが表側シート２８に接着されており、これにより袋状のポケット部２６を形成している。言い換えると、ポケット部２６は、上端部２６ａと下端部２６ｂと左端部２６ｃ（表側シート２８の他端部と同じ）とが閉じており、第２表紙収容部２１に臨む右端部２６ｄのみが開口した形状となっている。そして、図１に示すように、この開口した右端部２６ｄから携帯電話機４１を挿入できるようになっている。
【００３２】
カバー表紙３０は、図３に示すような１枚のシートであり、例えば表面に任意のデザインを施した紙製のシートである。また、保護シート３１は、図３に示すような１枚のシートであり、カバー表紙３０の内側に重ねられるものである。この保護シート３１を設けることで、手帳４０や携帯電話機４１を取り出すときにカバー表紙３０が擦れないようになっており、また、滑りを良くして手帳４０や携帯電話機４１を取り出しやすくなっている。この保護シート３１は、カバー本体１１と同様の材質で形成してもよい。
【００３３】
このカバー表紙３０及び保護シート３１は、図３に示すように、第１表紙収容部１３と第２表紙収容部２１とポケット部２６との内側にぴったりと収まる大きさとなっており、これらの内側に挿し込むことができるようになっている。すなわち、前述したように、第２表紙収容部２１は左右端部を開口したトンネル状となっているため、連続する１枚のカバー表紙３０及び保護シート３１を、ポケット部２６に貫通させて取り付けることができる。これにより、簡単にカバー表紙３０の差し替えを行うことができる。
【００３４】
上記したような手帳カバー１０によれば、図４に示すように、内側に第１表紙収容部１３を備えた第１カバー部１２と、内側に第２表紙収容部２１を備えた第２カバー部２０と、内側にポケット部２６を備えた第３カバー部２５と、の３つのカバー部を折り重ねて３つ折り形状にすることができる。この状態では、手帳４０と携帯電話機４１と筆記具４２とがいずれも手帳カバー１０に包み込まれて内側に保持されているため、手軽に持ち運ぶことができる。
【００３５】
しかも、一般的に手帳４０の方が携帯電話機４１よりも大きいため、例えば手帳カバー１０を落としてしまったとしても、手帳４０の角の部分から落下することで携帯電話機４１に直接的に衝撃が加わることがない。すなわち、この手帳カバー１０を使用することで、手帳４０を緩衝材として携帯電話機４１を保護することができる。
【００３６】
また、この手帳カバー１０は、図５に示すように、ポケット部２６を前面にして折り畳むことも可能である。このように折り畳んだ場合、携帯電話機４１が前面になるので、ポケット部２６に収容したままで携帯電話機４１を使用することができる。
【００３７】
また、この手帳カバー１０は、図６に示すように、ポケット部２６を手帳４０の内側に折り込んだ状態とすることも可能である。このように折り畳んだ場合、携帯電話機４１が内側になるので、手帳４０だけをコンパクトに使用することができる。
【００３８】
もちろん、図１に示すように、手帳４０と携帯電話機４１とを広げて使用することも可能である。このように広げて使用すれば、手帳４０を見ながら携帯電話機４１を使用する、または、携帯電話機４１を見ながら手帳４０を使用するといった作業が簡単に行える。
【００３９】
以上説明したように、本実施形態によれば、第１カバー部１２の内側には手帳４０の一方の表紙４０ａを収容可能な第１表紙収容部１３が設けられ、第２カバー部２０の内側には手帳４０の他方の表紙４０ｂを収容可能な第２表紙収容部２１が設けられ、第３カバー部２５の内側には携帯電話機４１を収容可能なポケット部２６が設けられ、３つのカバー部を折り重ねて３つ折り形状にすることができる。よって、従来の手帳カバーとほとんど変わらない形状で携帯電話機４１と手帳４０とをコンパクトに収容することができ、携帯電話機４１と手帳４０とを一体的に管理して容易に持ち運ぶことができる。すなわち、携帯電話機４１を使用していて手帳４０が見当たらない、といった問題を解消できる。
【００４０】
また、３つのカバー部を広げれば携帯電話機４１と手帳４０とを並べて広げることができるので、使い勝手もよい。カバー本体１１は透明な素材で形成されているため、ポケット部２６に収容したままで携帯電話機４１を操作することもできるので、手帳カバー１０から携帯電話機４１や手帳４０を取り出さなくても、３つのカバー部を広げるだけで携帯電話機４１と手帳４０とを使用することができる。このため、例えばスマートフォンで調べた情報を手帳４０に書き込むといった使い方も容易にでき、携帯電話機４１と手帳４０とを両方使いたいユーザの要求に応えることができる。
【００４１】
また、前記第２表紙収容部２１の左右端部を開口させることで、前記第１表紙収容部１３と前記第２表紙収容部２１と前記ポケット部２６とに連続する１枚のカバー表紙３０を収容可能とした。このような構成によれば、１枚のカバー表紙３０を変えるだけで手帳カバー１０の外観を変えることができるので、ユーザの好みに応じて容易にデザインを変更することができる。例えば手帳カバー１０を販売するときに、複数種類のカバー表紙３０を封入して販売すれば、ユーザがこの複数種類のカバー表紙３０から選択したものをカバー本体１１に装着するだけで容易に好みのデザインとすることができる。
【００４２】
この点を製造販売する側から見ると、複数種類のカバー表紙３０を封入するだけでデザインのバリエーションを確保することができるので、デザインごとに商品を製造販売する必要がなく、在庫調整が容易となる。また、ノベルティーなどに使用する場合でも、企業ロゴなどを使用したカバー表紙３０を作るだけでよいので低コストで対応することができる。
【００４３】
また、前記第２カバー部２０と前記第３カバー部２５との間に筆記具４２を収容可能な筆記具収容部２３を設けた。このような構成によれば、筆記具４２を収納して３つのカバー部を折り畳んだときに筆記具４２が包み込まれるので、筆記具４２がぶらぶらしたり抜け落ちたりといった問題を防止できる。
【００４４】
また、前記筆記具収容部２３は、前記第２表紙収容部２１の内側端縁を折り返して接着することで形成されている。このような構成によれば、追加の部品等を使用することなく筆記具収容部２３を形成することができるので、安価に手帳カバー１０を製造することができる。
【００４５】
なお、上記した実施形態においてはポケット部２６にスマートフォンを収容する例について説明したが、具体的な使用方法としてこれに限らないことは当然である。すなわち、ポケット部２６にスマートフォン以外の携帯電話機４１を収容してもよいし、ポケット部２６に携帯電話機４１以外のカードや名刺などを収容してもよい。
【００４６】
また、上記においては、手帳カバー１０を開いたときに手帳４０が右側に配置されるように収容した。しかしながら、例えばユーザが左利きの場合には、手帳カバー１０を上下逆にして手帳４０が左側に配置されるように収容してもよい。
また、手帳カバー１０の大きさは、手帳４０の大きさに合わせて適宜変更可能であることは言うまでもない。
【符号の説明】
【００４７】
１０  手帳カバー
１１  カバー本体
１２  第１カバー部
１３  第１表紙収容部
１３ａ  上端部
１３ｂ  下端部
１３ｃ  左端部
１３ｄ  右端部
１４  第１被覆部
２０  第２カバー部
２１  第２表紙収容部
２１ａ  上端部
２１ｂ  下端部
２１ｃ  左端部
２１ｄ  右端部
２２  第２被覆部
２２ａ  折り返し部
２３  筆記具収容部
２５  第３カバー部
２６  ポケット部
２６ａ  上端部
２６ｂ  下端部
２６ｃ  左端部
２６ｄ  右端部
２７  第３被覆部
２８  表側シート
３０  カバー表紙
３１  保護シート
４０  手帳
４０ａ，４０ｂ  表紙
４１  携帯電話機
４２  筆記具
【図１】
0006452438.tif 000002
【図２】
0006452438.tif 000003
【図３】
0006452438.tif 000004
【図４】
0006452438.tif 000005
【図５】
0006452438.tif 000006
【図６】
0006452438.tif 000007